(57)【要約】【課題】屋根の外観を悪化させることなく軒先からの雨水の垂れ流れを防止することのできる屋根構造を提供する。【解決手段】出窓２０の屋根部２１に木桟３６ａ〜３６ｆを配設して、その木桟３６ａ〜３６ｆに付帯物屋根３０を設置して支持させた屋根構造において、軒先側の木桟３６ａから軒元側の木桟３６ｂ〜３６ｆになるにつれてその上下方向の厚みが次第に小さくなるように形成し、付帯物屋根３０の軒元側の最低部３１ｄの周辺の屋根枠に竪樋を設ける。【選択図】図１
2007308959.tif 000002
【特許請求の範囲】
【請求項１】
建物の躯体に突出するように付帯する突出型付帯物に付帯物屋根が設けられると共に前記付帯物屋根が前記突出型付帯物に設けられた支持部材によって支持され、
前記支持部材は、前記突出型付帯物の軒先側から軒元側に向かうにつれてその厚みが次第に小さくなることにより前記付帯物屋根を軒先側から軒元側に向けて下り傾斜させ、
前記付帯物屋根の最低部の周辺に樋具が設けられることを特徴とする屋根構造。
【請求項２】
前記支持部材は前記突出型付帯物の突出方向に間隔を置いて配設された複数の部材であり、軒先側の前記支持部材から軒元側の前記支持部材になるにつれてその厚みが次第に小さくなるように形成されていることを特徴とする請求項１に記載の屋根構造。
【請求項３】
建物の躯体に突出するように付帯する突出型付帯物に付帯物屋根が設けられると共に前記付帯物屋根が前記突出型付帯物に設けられた支持部材によって支持され、
前記支持部材は、前記突出型付帯物の突出方向に交差する方向の一端側から他端側に向かうにつれてその厚みが次第に小さくなることにより前記付帯物屋根を前記突出型付帯物の突出方向に交差する方向に傾斜させ、
前記付帯物屋根の周縁から上方に向けて立ち上がる枠部材が前記付帯物屋根の周縁に沿って設けられ、
前記付帯物屋根の最低部の周辺に設けられた前記枠部材に樋具が設けられることを特徴とする屋根構造。
【請求項４】
前記突出型付帯物が出窓であることを特徴とする請求項１乃至請求項３のいずれか一項に記載の屋根構造。
【発明の詳細な説明】
【技術分野】
【０００１】
本発明は、建物の躯体に付帯する出窓等の突出型付帯物の屋根を改修して、その屋根に流れる雨水の排水性を改善するための屋根構造に関するものである。
【背景技術】
【０００２】
従来、建物の躯体に付帯する出窓の屋根として特許文献１〜３に記載のものがある。
【０００３】
また、出窓の屋根における雨水の排水方法として、屋根に軒先側に向けて傾斜する勾配を設けることにより雨水を軒先側に誘導して軒先から地上へと排水する方法が知られている。
【０００４】
この従来の屋根は、図７に示すように建物１０の外壁１１から半多角形状に張り出すように設けられた出窓２００の屋根部２１０に軒元から軒先へ向かって下り傾斜する板金２２０が設けられている。
【０００５】
この屋根部２１０の板金２２０を流れる雨水は、出窓２００の軒元側から軒先側中央に集まるように流れて、出窓２００の軒先側中央から地面に落水するようになっている（図７の１点鎖線）。
【特許文献１】実用新案登録第２５４８５３９号公報
【特許文献２】実公平７−２１８１１号公報
【特許文献３】特開２００４−８４３５４号公報
【発明の開示】
【発明が解決しようとする課題】
【０００６】
しかしながら、上記した従来の出窓２００のように屋根面積の大きいものでは、雨水の受水量が多くなることに伴って、軒先から流れ落ちる雨水の量も多くなってしまう。
【０００７】
このため、屋根部２１０から流れ落ちた雨水が、出窓２００の窓や外壁１１に飛び散った際にその跳ね音によって住人に不快感を与えたり、雨水の跳ね返りによって出窓２００の窓や外壁１１が劣化したりするという恐れがあった。
【０００８】
また、図７に示すような半多角形状に張り出す出窓２００においては、その出窓２００の形状に合った樋を作製するのに手間がかかる点や、板金２２０の周縁に沿って樋を設置した際に出窓２００の外観が悪化するという点から軒先に樋を取り付けることは困難であるという問題があった。
【０００９】
そこで、本発明は、屋根の外観を悪化させることなく軒先からの雨水の垂れ流れを防止することのできる屋根構造を提供することを目的としている。
【課題を解決するための手段】
【００１０】
前記目的を達成するために、本発明は、建物の躯体に突出するように付帯する突出型付帯物に付帯物屋根が設けられると共に前記付帯物屋根が前記突出型付帯物に設けられた支持部材によって支持され、前記支持部材は、前記突出型付帯物の軒先側から軒元側に向かうにつれてその厚みが次第に小さくなることにより前記付帯物屋根を軒先側から軒元側に向けて下り傾斜させ、前記付帯物屋根の最低部の周辺に樋具が設けられることを特徴とする。
【００１１】
ここで、前記支持部材は前記突出型付帯物の突出方向に間隔を置いて配設された複数の部材であり、軒先側の前記支持部材から軒元側の前記支持部材になるにつれてその厚みが次第に小さくなるように形成されていてもよい。
【００１２】
また、本発明は、建物の躯体に突出するように付帯する突出型付帯物に付帯物屋根が設けられると共に前記付帯物屋根が前記突出型付帯物に設けられた支持部材によって支持され、前記支持部材は、前記突出型付帯物の突出方向に交差する方向の一端側から他端側に向かうにつれてその厚みが次第に小さくなることにより前記付帯物屋根を前記突出型付帯物の突出方向に交差する方向に傾斜させ、前記付帯物屋根の周縁から上方に向けて立ち上がる枠部材が前記付帯物屋根の周縁に沿って設けられ、前記付帯物屋根の最低部の周辺に設けられた前記枠部材に樋具が設けられることを特徴とする。
【００１３】
また、前記突出型付帯物が出窓であることを特徴とする。
【発明の効果】
【００１４】
このように構成された本発明は、建物の躯体に突出するように付帯する突出型付帯物に付帯物屋根を設けると共に突出型付帯物に設けられた支持部材によって付帯物屋根を支持し、突出型付帯物の軒先側から軒元側に向かうにつれて支持部材の厚みを次第に小さくして付帯物屋根を軒先側から軒元側に向けて下り傾斜させると共に、付帯物屋根の最低部の周辺に樋具を設けることにより、付帯物屋根に流れる雨水を付帯物屋根の軒元側に集水して樋具に排水することができるので、軒先からの雨水の垂れ流しを防止することができる。
【００１５】
このため、雨水の跳ね音や跳ね返りによる窓や外壁の腐食等による劣化を防止することができる。
【００１６】
しかも、付帯物屋根の最低部の周辺に樋具を取り付けるので、樋具を付帯物屋根の周縁に沿って設ける場合に比べて突出型付帯物の屋根の外観を見栄えよくすることができる。
【００１７】
また、突出型付帯物の上側に支持部材を介して付帯物屋根を設置する屋根構造なので、引渡し済みの建物等のように屋根を解体することのできない建物であっても、屋根を解体せずに付帯物屋根を設けることができる。
【００１８】
さらに、突出型付帯物の突出方向に間隔を置いて支持部材を複数配設し、軒先側の支持部材から軒元側の支持部材になるにつれてその厚みを次第に小さくすることにより、少ない部材（支持部材）で付帯物屋根を傾斜させることができるので、その分突出型付帯物に加わる荷重を少なくすることができ、突出型付帯物の耐久性を確保することができる。
【００１９】
しかも、突出型付帯物上における付帯物屋根の設置作業の負担を軽減することができると共に、作業時間を短縮することができる。
【００２０】
また、本発明は、建物の躯体に突出するように付帯する突出型付帯物に付帯物屋根を設けると共に突出型付帯物に設けられた支持部材によって付帯物屋根を支持し、突出型付帯物の突出方向に交差する方向の一端側から他端側に向かうにつれて支持部材の厚みを次第に小さくして付帯物屋根を突出型付帯物の突出方向に交差する方向に傾斜させる。そして、付帯物屋根の周縁から上方に向けて立ち上がる枠部材を付帯物屋根の周縁に沿って設けて、付帯物屋根の最低部の周辺に設けられた枠部材に樋具を設けることにより、付帯物屋根に流れる雨水を付帯物屋根の最低部に集水して樋具に排水することができる。
【００２１】
このため、付帯物屋根の軒先からの雨水の垂れ流しを防止することができる。
【００２２】
また、付帯物屋根の周縁に枠部材を設けているので、付帯物屋根の周縁から雨水が落水することなく付帯物屋根の最低部に集水させることができる。
【００２３】
また、突出型付帯物が出窓であることにより、出窓の屋根の軒先からの雨水の垂れ流しを防止することができる。
【００２４】
これにより、住人が出窓から出入りする際に出窓の屋根からの落水を気にすることなく出入りすることができる。
【００２５】
また、出窓の屋根の軒先から雨水が垂れ流れることがないので、出窓から見る屋外の見通しをよくすることができる。
【発明を実施するための最良の形態】
【００２６】
以下、本発明の最良の実施の形態に係る屋根構造を実施例に基づいて説明する。
【実施例１】
【００２７】
図１は、実施例１に係る出窓２０の屋根部２１に設けられた付帯物屋根３０の構成を示した断面図である。
【００２８】
尚、以降の実施例１の説明では、図７に示す建物１０等の従来と共通する構成に関しては同一の符号を用いて説明する。
【００２９】
まず、構成から説明すると、本発明に係る建物１０には、図２に示すように躯体としての外壁１１の外方に半多角形状に突出する突出型付帯物としての出窓２０が設けられ、この出窓２０の上側に付帯物屋根３０が設けられている。
【００３０】
この付帯物屋根３０は、図３に示すように平面視、正１２角形の半分の半多角形状に形成されており、半多角形状に構成された付帯物屋根３０の板金３１と、この板金３１の周縁に沿って半多角形状に設けられた枠部材としての屋根枠３２と、付帯物屋根３０の板金３１を支持する支持部材としての木桟３６ａ〜３６ｆとから概略構成されている。
【００３１】
この板金３１は、図３に示すように多角形状の板金３１ａ、３１ｂが木桟３６ａ〜３６ｆ上に敷設されることにより半多角形状に形成され、その板金３１ａ、３１ｂ間や板金３１ｂ、３１ｂ間の目地部は長尺状の目地カバー板３１ｃ、３１ｃによってそれぞれ塞がれている。
【００３２】
また、各木桟３６ａ〜３６ｆは、図１に示すように断面視矩形状を呈していると共に、軒先側の木桟３６ａから軒元側の木桟３６ｂ〜３６ｆになるにつれて各木桟３６ａ〜３６ｆの上下方向の厚みが次第に小さくなるように形成されている。
【００３３】
しかも、各木桟３６ａ〜３６ｆは、出窓２０の屋根部２１が備える板２２の上に、板２２の外壁１１からの突出方向に間隔を置いて配設されており、この各木桟３６ａ〜３６ｆに支持された板金３１は軒先側から軒元側に下り傾斜するように設置されている。
【００３４】
さらに、木桟３６ａ〜３６ｆは、外壁１１の延在方向と平行になるようにそれぞれ配設されている（図３を参照）。
【００３５】
ここで、上記した出窓２０の屋根部２１が備える板２２は、木桟３６ａ〜３６ｆや後述する箱樋３７等を設置するための下地板であり、合板等を用いることが好ましい。
【００３６】
また、図１に示すように上記軒元側の木桟３６ｆよりも外壁１１側の板２２上には外壁１１と接するように断面視矩形状の木桟３６ｇが配設されており、その木桟３６ｇと板金３１を支持する木桟３６ｆとの間には樋溝３４が形成されている。
【００３７】
さらに、樋溝３４には板金３１を流れる雨水が集水される箱樋３７が設けられていると共に、金属製の受水板３３が木桟３６ｇの上面と板金３１とに跨り、かつ樋溝３４と箱樋３７を覆うように設置されている。
【００３８】
この受水板３３は、図２、３に示すように屋根枠３２の枠内において建物１０の外壁１１の延在方向に延伸する長尺状の板体であり、その板面の延伸方向に間隔を置いて孔３３ａが複数設けられている。
【００３９】
また、この受水板３３の孔３３ａは、図３に示すように付帯物屋根３０の軒元側（板金３１よりも軒元側）に設けられた箱樋３７の上に位置している。尚、箱樋３７は外壁１１の延在方向に延伸している。
【００４０】
従って、図２の１点鎖線で示すように板金３１の傾斜に沿って流れる雨水は、孔３３ａに入水して、受水板３３の下に設けられた図３に示す箱樋３７に流れ込むようになっている。
【００４１】
また、箱樋３７に流れ込んだ雨水は、屋根枠３２に取り付けられた樋具としての竪樋３５に導かれて排水されるようになっている（図３を参照）。
【００４２】
尚、この竪樋３５は、図３に示すように板金３１の軒元側の最低部３１ｄの周辺の屋根枠３２部分に取り付けられており、その屋根枠３２部分には箱樋３７と竪樋３５とを連通する貫通孔３２ａが形成されている。
【００４３】
従って、この貫通孔３２ａを介して箱樋３７の一端が竪樋３５へ連通し、雨水が竪樋３５に導かれるようになっている。
【００４４】
一方、屋根枠３２は、図１に示すように板２２の軒先側の周縁から上方に突出するように設けられた断面視矩形状の横木３２ｃと、その横木３２ｃの上に、横木３２ｃの軒先側の側面から突出するように設けられた断面視矩形状の横木３２ｂとから概略構成されている。
【００４５】
しかも、その横木３２ｂには、その軒先側の側面と上面及び横木３２ｂの軒元側の側面に接する板金３１の端縁部を覆うように笠木３２ｄが設けられている。
【００４６】
また、横木３２ｃには、その軒先側の側面と板２２の下面とを覆うように外壁下地板３２ｅ、３２ｆが断面視Ｌ字状の格好で取り付けられている。
【００４７】
しかも、板２２の下面に取り付けられた外壁下地板３２ｆは、屋根部２１の軒先側に配設された断面視矩形状の横木２６の軒先側に取り付けられた外壁下地板２３の上部に連接するように取り付けられている。尚、この外壁下地板３２ｅ、３２ｆ、２３は、それぞれ外壁塗装が施されるようになっている。
【００４８】
さらに、横木２６は板２２を下方から支持する部材であり、この横木２６とともに、軒元側に配設された断面視矩形状の横木２８にも板２２は支持されている。
【００４９】
また、屋根部２１の底部となる石膏ボード２４は、建物１０の躯体１２に支持固定されており、その下側にサッシ枠等の出窓２０の建具２５が設けられている。
【００５０】
このように構成された本発明は、出窓２０の屋根部２１が備える板２２上に木桟３６ａ〜３６ｆを配設して、その木桟３６ａ〜３６ｆに付帯物屋根３０の板金３１を設置して支持させた屋根構造において、軒先側の木桟３６ａから軒元側の木桟３６ｂ〜３６ｆになるにつれてその上下方向の厚みが次第に小さくなるように形成すると共に、板金３１の最低部３１ｄの周辺の屋根枠３２部分に竪樋３５を設けることにより、板金３１に流れる雨水を付帯物屋根３０の軒元側に集水して竪樋３５に排水することができるので、軒先からの雨水の垂れ流しを防止することができる。
【００５１】
このため、雨水の跳ね音や跳ね返りによる出窓２０の窓や建物１０の外壁１１の腐食等による劣化を防止することができる。
【００５２】
しかも、付帯物屋根３０が備える板金３１の最低部３１ｄの周辺の屋根枠３２に竪樋３５を設けるので、樋具を付帯物屋根３０の周縁に沿って設ける場合に比べて出窓２０の屋根部２１の外観を見栄えよくすることができる。
【００５３】
また、出窓２０の屋根部２１の上に木桟３６ａ〜３６ｆを介して付帯物屋根３０を設置する屋根構造なので、引渡し済みの建物のような屋根を解体することのできない建物であっても、出窓２０の屋根部２１を解体せずに付帯物屋根３０を設けることができる。
【００５４】
さらに、少ない部材（木桟３６ａ〜３６ｆ）で付帯物屋根３０の板金３１を傾斜させることができるので、その分既存の出窓２０に加わる荷重を少なくすることができ、出窓２０の耐久性を確保することができる。
【００５５】
しかも、出窓２０の屋根部２１における付帯物屋根３０の設置作業の負担を軽減することができると共に、作業時間を短縮することができる。
【００５６】
また、建物１０の外壁１１の延在方向に延伸すると共に、その一端が貫通孔３２ａを介して竪樋３５に連通する箱樋３７を付帯物屋根３０の軒元側に設けることにより、付帯物屋根３０の板金３１に流れる雨水を効率よく竪樋３５に導くことができる。
【００５７】
これにより、例えば大量の雨水が付帯物屋根３０の軒元側に集中して、付帯物屋根３０の周縁から溢れ出して落水するような事態を防止することができる。
【００５８】
さらに、付帯物屋根３０の板金３１の周縁から上方に向けて立ち上がる屋根枠３２を付帯物屋根３０の周縁に沿って設けることにより、付帯物屋根３０の板金３１の周縁から雨水が垂れ流れることを防止することができる。
【００５９】
また、出窓２０の屋根部２１に付帯物屋根３０を設けることにより、出窓２０の屋根部２１からの落水を防止できるので、住人が出窓２０から出入りする際に屋根部２１からの落水を気にすることなく出入りすることができる。
【００６０】
また、出窓２０の軒先から雨水が垂れ流れることがないので、出窓２０から見る屋外の見通しを改善することができる。
【実施例２】
【００６１】
図４は、実施例２に係る既存の出窓２００の屋根部２１０に設けられた付帯物屋根４０を説明する断面構成を部分的に示した説明図である。
【００６２】
尚、以降の実施例２の説明では、建物１０等の実施例１と共通する構成に関しては同一の符号を用いて説明する。
【００６３】
まず、構成から説明すると、出窓２００の上側に設置された付帯物屋根４０は、図４に示すように既存の出窓２００が備える屋根部２１０の板金２２０の上側に設けられるようになっている。
【００６４】
即ち、実施例２に係る付帯物屋根４０は、図７に示す既存の出窓２００の屋根部２１０が備える板金２２０上に設置されるものであり、この屋根構造はリフォーム等を行う建物に適用されるものである。
【００６５】
尚、既存の出窓２００の屋根部２１０の板金２２０は、図４に示すようにその板金２２０の延在方向（図４の一点鎖線の方向）の一方の側縁から他方の側縁に向けて略放物線状に形成されて、その中央部が沈み込むように湾曲している。
【００６６】
この付帯物屋根４０は、図６に示すように半多角形状を呈しており、半多角形状に形成された板金４１と、この板金４１の周縁に沿って半多角形状に設けられた枠部材としての屋根枠４２と、付帯物屋根４０の板金４１を支持する支持部材としての断面視矩形状の木桟４６ａ〜４６ｉとから概略構成されている。
【００６７】
また、この木桟４６ａ〜４６ｉは、図４に示すように板金４１の下面側において既存の屋根部２１０の板金２２０の延伸方向に間隔を置いて配設されている。
【００６８】
しかも、その板金２２０の延伸方向の一端側の木桟４６ａから他端側の木桟４６ｂ〜４６ｉになるにつれて各木桟４６ａ〜４６ｉの上下方向の厚みが次第に小さくなるように形成されている。
【００６９】
従って、付帯物屋根４０の板金４１は、既存の屋根部２１０の板金２２０の延伸方向の一方側に下り傾斜するように設置されている。
【００７０】
また、図６に示すように付帯物屋根４０の外壁１１からの突出方向に対して平行に配設された木桟４６ａ〜４６ｉは、支持部材としての木桟４７ａ〜４７ｃに支持されている。
【００７１】
この木桟４７ａ〜４７ｃは、図６に示すように付帯物屋根４０の外壁１１からの突出方向に間隔を置いて複数配設されていると共に、各木桟４７ａ〜４７ｃが、木桟４６ｂ〜４６ｈに対して直交するように配設されている。
【００７２】
尚、既存の出窓２００の屋根部２１０が備える板金２２０は、図４に示すようにその周縁部に配設された横木２９、２９等によって支持されている。
【００７３】
また、付帯物屋根４０の板金４１は、図４、５に示すように屋根枠４２の枠内に隠れる格好となっており、板金４１の傾斜する外観は露出しないようになっている。
【００７４】
また、この屋根枠４２は、図４に示すように板金４１の周縁から上方に立ち上がり、付帯物屋根４０の板金４１の周縁から既存の出窓２００の屋根部２１０の上部にまで垂れ下がるように延伸する断面視矩形状の板体であると共に、板金４１の周縁に接着材や釘等で固定されている。
【００７５】
このような付帯物屋根４０では、図４、５の１点鎖線で示すように板金４１の傾斜に沿って流れる雨水が、屋根枠４２によって流れる方向を変えながら板金４１の最低部４１ａに集まるように流れて、屋根枠４２に取り付けられた樋具としての竪樋４５に導かれて排水されるようになっている。
【００７６】
尚、この竪樋４５は、板金４１の軒元側の最低部４１ａの周辺の屋根枠４２部分に取り付けられており、その屋根枠４２部分には、図４に示すように竪樋４５に連通する貫通孔４２ａが形成されている。
【００７７】
従って、板金４１の最低部４１ａに集められた雨水は、この貫通孔４２ａを介して竪樋４５へと導かれるようになっている。
【００７８】
このように構成された本発明は、既存の出窓２００の屋根部２１０の板金２２０の上に木桟４７ａ〜４７ｃと木桟４６ａ〜４６ｉを配設して、木桟４６ａ〜４６ｉに付帯物屋根４０の板金４１を設置して支持させた屋根構造において、出窓２００の屋根部２１０の突出方向に交差する方向の一端側の木桟４６ａから他端側の木桟４６ｂ〜４６ｉになるにつれてその上下方向の厚みが次第に小さくなるように形成すると共に、付帯物屋根４０の板金４１の周縁から上方に向けて立ち上がる屋根枠４２を付帯物屋根４０の板金４１の周縁に沿って設けて、付帯物屋根４０の板金４１の最低部４１ａの周辺の屋根枠４２に竪樋４５を設けることにより、付帯物屋根４０に流れる雨水を付帯物屋根４０の板金４１の最低部４１ａに集水して竪樋４５に排水することができる。
【００７９】
このため、付帯物屋根４０の軒先からの雨水の垂れ流しを防止することができる。
【００８０】
また、付帯物屋根４０の板金４１の周縁に屋根枠４２を設けているので、付帯物屋根４０の周縁から雨水が落水することなく板金４１の最低部４１ａに集水させることができる。
【００８１】
さらに、少ない部材（木桟４６ａ〜４６ｉ）で付帯物屋根４０の板金４１を傾斜させることができるので、その分既存の出窓２００に加わる荷重を少なくすることができ、出窓２００の耐久性を確保することができる。
【００８２】
しかも、既存の出窓２００の屋根部２１０における付帯物屋根４０の設置作業の負担を軽減することができると共に、作業時間を短縮することができる。
【００８３】
また、既存の出窓２００の屋根部２１０の上に木桟４６ａ〜４６ｉ等を介して付帯物屋根４０を設置する屋根構造なので、引渡し済みの建物のような屋根を解体することのできない建物であっても、既存の出窓２００の屋根部２１０を解体せずに付帯物屋根４０を設けることができる。
【００８４】
また、出窓２００の屋根部２１０に付帯物屋根４０を設けることにより、出窓２００の屋根部２１０からの落水を防止できるので、住人が出窓２００から出入りする際に屋根部２１０からの落水を気にすることなく出入りすることができる。
【００８５】
また、出窓２００の軒先から雨水が垂れ流れることがないので、出窓２００から見る屋外の見通しを改善することができる。
【００８６】
以上、図面を参照して、本発明の最良の実施の形態を詳述してきたが、具体的な構成は、この実施の形態に限らず、本発明の要旨を逸脱しない程度の設計的変更は、本発明に含まれる。
【００８７】
例えば、前記実施例１、２では、出窓２０の屋根部２１が備える板２２や既存の出窓２００の屋根部２１０が備える板金２２０上に複数の木桟３６ａ〜３６ｆ若しくは木桟４６ａ〜４６ｉを配設するようになっているが、これに限定されるものではなく、例えば傾斜面を有する単一の板体を板２２や板金２２０に敷設して各付帯物屋根３０、４０の各板金３１、４１を傾斜させるようにしてもよい。
【００８８】
また、本発明の屋根構造は、リフォーム等の既存の建物に施工するものに限定されるものではなく、一般の住宅建築の際にも上記屋根構造を利用した屋根の建築を行うことができる。
【００８９】
さらに、前記実施例１の屋根構造は、前記実施例２の屋根構造のように既存の出窓２００の屋根部２１０を残したまま改修される構造ではなく、出窓２０の屋根部２１の構造を改修して付帯物屋根３０とする構造になっているが、これに限定されるものではなく、例えば図７の既存の出窓２００の屋根部２１０が備える板金２２０上に、図１の板２２上の木桟３６ａ〜３６ｆや板金３１等からなる実施例１の屋根構造を構築して既存の出窓の屋根部を残したまま実施例１の付帯物屋根を構築することもできる。
【００９０】
また、例えば実施例１の出窓２０の屋根部２１の構造を改修する屋根構造において、図１の屋根部２１が備える板２２上に、図４の出窓２００の屋根部２１０が備える板金２２０上の木桟４６ａ〜４６ｉや板金４１等の実施例２の屋根構造を構築することで出窓の屋根部の構造を改修する屋根構造に実施例２の付帯物屋根を適用することもできる。
【００９１】
さらに、前記実施例１では、付帯物屋根３０の板金３１の周縁に沿って屋根枠３２を設けているが、これに限定されるものではなく、例えば板金３１に屋根枠３２を設けずに付帯物屋根３０の軒元側の雨水が集水する部分に沿って樋を設けて排水するようにしてもよい。
【図面の簡単な説明】
【００９２】
【図１】本発明の実施例１に係る付帯物屋根を図３のＡ方向に見た際の構成を示す断面図である。
【図２】実施例１に係る付帯物屋根が設けられた出窓の概略構成を示す斜視図である。
【図３】実施例１に係る付帯物屋根を上方から見た際の構成を示す上面図である。
【図４】実施例２に係る付帯物屋根を図５のＢ方向に見た際の断面構成を部分的に示す説明図である。
【図５】実施例２に係る付帯物屋根が設けられた出窓の概略構成を示す斜視図である。
【図６】実施例２に係る付帯物屋根を上方から見た際の構成を示す上面図である。
【図７】建物の外壁に設けられた従来の出窓の概略構成を示す斜視図である。
【符号の説明】
【００９３】
１０                建物
１１                外壁（躯体）
２０                出窓（突出型付帯物）
３０、４０          付帯物屋根
３４                樋溝
３５、４５          竪樋（樋具）
３６ａ〜３６ｆ      木桟（支持部材）
３１ｄ、４１ａ      最低部
３２、４２          屋根枠（枠部材）
４６ａ〜４６ｉ      木桟（支持部材）
４７ａ〜４７ｃ      木桟（支持部材）
【図１】
2007308959.tif 000003
【図２】
2007308959.tif 000004
【図３】
2007308959.tif 000005
【図４】
2007308959.tif 000006
【図５】
2007308959.tif 000007
【図６】
2007308959.tif 000008
【図７】
2007308959.tif 000009